(57)【要約】      （修正有）【課題】溝掃除の一連の作業即ち溝蓋を外すこと、溝蓋を移動させること、溝の掃除をすること、溝蓋を元へ戻して順次隙間なく並べることを能率よく行うことができるショベルカーを提供する。【解決手段】バケット１の開口部側の底面の延長上に溝蓋移動用冶具１５を設けるとともにバケットとバケットアーム及びバケットシリンダーを連結する接続金具とバケットにバケットの回動機構を設けた。また溝蓋吊り上げ冶具を溝蓋移動用冶具に着脱自在に設けた。【選択図】図６
2020172832.tif 000002
【特許請求の範囲】
【請求項１】
バケットとバケットアーム及びバケットシリンダーを連結するための接続金具を設け、前記バケットの開口部側の底面の延長上に溝蓋移動用冶具を着脱自在に設け、また前記接続金具とバケットにバケットの回動機構を設けたことを特徴とするショベルカー
【請求項２】
溝蓋移動用冶具の側面の先端部は先細りになるようにした請求項１に記載したショベルカー
【請求項３】
前記溝蓋移動用冶具の根元部に段差を設けた請求項１又は２に記載したショベルカー
【請求項４】
溝蓋吊り上げ冶具を一組のチェーンの上部に取り付けたチェーン用フックで前記溝蓋移動用冶具に着脱自在に取り付けるようにした請求項１乃至３に記載したショベルカー
【請求項５】
前記回動機構の回動を止めることができるロック装置を設けた請求項１乃至４に記載したショベルカー
【発明の詳細な説明】
【技術分野】
【０００１】
本発明は道路脇等に設けられた溝の掃除のための一連の作業、すなわち溝蓋
の取り外し、移動、溝内の泥等の掃除、前記溝蓋を再度元へ戻して順次隙間なく並べること、を能率良く行うことができるショベルカーに関する。
なお、本発明のショベルカーには油圧ショベルやバックホーという名称のもの
やそれらこれらと同等の機能を有するものも含まれる。
【背景技術】
【０００２】
従来，道路脇等に設けられた溝の掃除をし易くするためのショベルカー等の
提案がなされている。
特許文献１のものはパワーショベル、バックホーに係るものであって小型で運
転席前方足元にバケットアームの基端部を設け小回りが利くようになっており
溝内の泥等の掃除をし易くしている。
【０００３】
しかしバケットに溝蓋移動用冶具を着脱自在に取り付けるようにはなってい
なくて、ショベルカーの操作によって重い溝蓋を溝から外して、移動させて、溝
の掃除の終了後再びもとに位置へ戻して隙間のないように順次並べる機能はな
く重労働を強いられる。
【０００４】
特許文献２のものはバケットを回動可能にして溝内で溝の側面からの力の作
用によりバケットが溝の方向へ沿うように回動するようになっており、アーム
シリンダーやバケットシリンダーの頻繁な操作の必要性を少なくしている。
しかし特許文献１のものと同様に溝蓋移動用冶具を有しておらず、溝の掃除に係る一連の作業に重労働を要する。
【０００５】
特許文献３溝蓋の脱着作業を油圧ジャッキを利用して行うものであるが、シ
ョベルカーのアームシリンダーとバケットシリンダーの操作で行うものではな
く、作業の能率が低い。
【先行技術文献】
【特許文献】
【０００６】
【特許文献１】特開平１１−２６９９３６号公報
【特許文献２】実開平７−２５８５公報
【特許文献３】特開平７−１５７０２５公報
【発明の概要】
【発明が解決しようとする課題】
【０００７】
本発明は溝の掃除に関連する一連の作業即ち溝の溝蓋部から溝蓋を外して移
動させること、溝の内部に溜まった泥等を掃除し、その後溝蓋を再びもとの位
置へ戻して順次隙間なく並べることをショベルカーのアームシリンダーとバケ
ットシリンダーの操作で簡便に行えるようにしようとするものである。
【課題を解決するための手段】
【０００８】
上記課題を解決するために本発明はバケットとバケットアーム及びバケット
シリンダーをつなぐための接続金具を設け、前記バケットの開口部側の底面の
延長上に溝蓋移動用冶具を着脱自在に設けるとともに、前記接続金具とバケッ
トにバケットの回動機構を設けた。
【０００９】
前記溝蓋移動用冶具の側面先端部は先細りにすると良い。
【００１０】
前記溝蓋移動用冶具の根元部の下部に段差を設けると良い。
【００１１】
前記溝蓋移動用冶具の下方に溝蓋吊り上げ冶具を設け、一組のチェーンの
チェーン用フックで前記溝蓋移動用冶具に着脱自在に取り付けられるように
すると良い。
【００１２】
前記回動機構にバケットの回動を止めることができるロック装置を設けると
良い。
【発明の効果】
【００１３】
バケットの開口部側の底面の延長上に溝蓋移動用冶具を着脱自在に設けてい
なければ、溝の掃除における一連の作業即ち溝から溝蓋を外して移動し、掃除
終了後再び元へ戻して順次隙間なく並べる作業に極めて重労働を要することに
なる。
又溝蓋移動用冶具はバケットと同じ向き即ちバケットアームと同じ方向になる
ので、バケットの回動機構を有さなければ溝蓋を元の位置へ移動して、溝の溝蓋
部へ挿入しようとするとき溝蓋移動用冶具が平面投影的に溝と同じ方向になら
ないために溝蓋をいったん溝蓋移動用冶具から降ろして人力により溝の溝蓋部
へ挿入しなければならなくなる。
これは重労働になりまた怪我をしやすくなる。
なお溝蓋を外す時にも同様であり、溝蓋移動用冶具はバケットの方向即ちバケ
ットアームの方向になり、溝蓋移動用冶具と溝が平面投影的に同じ方向になら
ないのでバケットの回動手段がなければ作業が困難になる。
【００１４】
本発明の場合には、バケットの回動手段を有するので溝蓋移動用冶具の上に載
っている溝蓋と溝の方向を同じにすることができ、溝蓋を溝の溝蓋部へ容易に
挿入でき、作業が極めて容易になる。
また、溝蓋の取り外し、移動、掃除終了後溝蓋を元の位置へ戻すこと、そして
順次隙間の無いように並べることをショベルカーのアームシリンダーとバケッ
トシリンダーの操作で行うことができるので極めて便利である
【００１５】
またバケットの回動機構を有していることの別の効果として下記のことがある。
即ち溝内の掃除の作業をするときにバケットの側面が溝の側面に接触して外力を受けて溝の方向に沿うように回動するので、頻繁なアームシリンダーとバケットシリンダーの操作は軽減され、またショベルカーを頻繁に移動させる必要も軽減され、溝掃除の能率が極めて向上する。
【００１６】
溝蓋移動用冶具の側面の先端部は先細りになるようにしたので、溝蓋を外す
際に溝蓋の下方へ溝蓋移動用冶具を挿入し易くなり、溝蓋を外す能率が高まる。
【００１７】
溝蓋移動用冶具の根元部に段差を設けたので溝の掃除終了後溝を溝の溝蓋部へ戻して順次隙間なく並べる際に前記段差で押して滑らせることができ、能率が良い。
【００１８】
溝蓋移動用冶具の下部に溝蓋吊り上げ用冶具を一組のチェーンの下端に取り付け、それを溝蓋移動用冶具に着脱自在に取り付けられるようにしたので溝蓋の最初の一枚目又は一枚目と二枚目を外す際にショベルカーのアームシリンダーとバケットシリンダーの操作で行うことができ極めて便利である。
一枚目等を外したのちは溝蓋移動用冶具の先端部を差し込んで溝蓋を持ち上げられるようになる。
【００１９】
バケットの回動機構に回動を止めることができるロック装置を設けたので溝蓋を溝と一時的保管場所との間で移動させる際に必要に応じて回動を止めることができ、溝蓋を揺らすことなく安定して移動させることができる。
【図面の簡単な説明】
【００２０】
【図１】本発明の実施の形態を示すショベルカーの全体の模式図である。
【図２】本発明の実施の形態を示すショベルカーの平面模式図（１）である。
【図３】本発明の実施の形態を示すショベルカーの平面模式図（２）である。
【図４】本発明の実施の形態を示すショベルカーの平面模式図（３）である。
【図５】溝蓋吊り上げ冶具の図である。
【図６】溝蓋を掬い上げる模式図である。
【図７】溝を掃除する図である。
【図８】溝を被覆する模式図である。
【図９】溝蓋を押し込んでいく図である。
【図１０】溝蓋移動用冶具の側面を表す図である。
【図１１】溝蓋移動用冶具の平面図である。
【図１２】バケットの回動機構を表す図である。
【図１３】バケットの回動機構を表す斜視図である。
【発明を実施するための形態】
【００２１】
以下、本発明の好適な実施形態を図面に基づいて説明する。
図１は本発明の実施の形態を示すショベルカーの全体の模式図である。
バケット１は接続金具２を介してバケットアーム３とバケットシリンダー４に
取り付けられている。バケットの位置はアームシリンダー５により、バケットの
傾きはバケットシリンダー４によって操作される。
【００２２】
図２は本発明の実施の形態を示すショベルカーの平面の模式図（１）である。
バケット１の開口部側の底面の延長上に溝蓋移動用冶具１５が取り付けられておりその上に溝蓋２１が載置されている。
前記溝蓋２１は溝２４の溝蓋部６から外されたり、挿入されたりする。
なお、溝の溝蓋部６に並んだ溝蓋２１には切り欠き２２と切り欠き穴２３がある。
溝蓋移動用冶具１５の操作はアームシリンダー５とバケットシリンダー４によって行われる。
バケットアーム３はアームシリンダー５の操作によって基端部７を起点にして動く。
なお、二点鎖線内は溝等の断面図である。
【００２３】
図３は本発明の実施の形態を示すショベルカーの平面の模式図（２）である。
溝蓋移動用冶具１５はバケット１の開口部側の底面延長上にバケット１と同じ向きに取り付けられるので、バケットアーム３と同じ方向になる。
バケットアーム３は溝２４の方向に対して斜めになるので溝蓋２１は溝２      ４の方向に対して斜めになる。
【００２４】
従ってそのままでは溝蓋２１を溝の溝蓋部６へ挿入できない。
挿入しようとすれば溝蓋２１をいったん溝蓋移動用冶具１５から降ろし手作業で溝２４の方向へ向きを変えて挿入しなければならず重労働かつ危険な作業になる。
【００２５】
そこで図１２で詳しく説明するバケットの回動機構を利用してバケットを
溝蓋２１の向きを溝２４の方向に合わせて溝蓋部６へ挿入すればよい。
【００２６】
図４は本発明の実施の形態を示すショベルカーの平面の模式図（３）である。
詳細は図１２において説明するがバケット１と接続金具２にはバケット１の回動機構が付いているので、溝の掃除を進めるためにバケットアームが移動して溝２４との角度が変わってもバケット１が溝２４の側面に接触してバケット１の側面が力の作用を受けて回動して溝の方向に沿うようになる。
その結果、アームシリンダー５とバケットシリンダー４の煩雑な操作は軽減されるし、またショベルカーの頻繁な移動の必要性も減少して溝２４の掃除作業の能率が向上する。
なお、バケットの幅と高さは溝の形状に応じて適宜選択して使用される。
また、二点鎖線内は溝等の断面図である。
【００２７】
図５は溝蓋吊り上げ冶具の図である。
一組のチェーン１７の下部に溝蓋吊り上げ冶具１９が取り付けられている。一組のチェーン１７の上部にはチェーン用フック１６が取り付けられており、溝蓋移動用冶具に１５に着脱自在に取り付けられる。
溝蓋吊り上げ冶具１９の下部には溝蓋フック２０が設けられ溝蓋２１を引っ
掛けて載せることができる。
溝蓋吊り上げ金具１９の上部にはベース部材１８が設けられていて、溝蓋２
１の寸法に応じて溝蓋フック２０の幅が調節される。
【００２８】
溝蓋２１が隙間なく並んだ状態において  切り欠き２２、切り欠きの穴２３
がある。
切り欠きの穴２３に溝蓋フック２０を挿入して吊り上げる。
溝２４には泥等２５がたまっている。始めの一枚目または一枚目と二枚      目の溝蓋２１は溝蓋吊り上げ冶具を使って外す。
【００２９】
図６は溝蓋を掬い上げる模式図である。
（ａ）に示すようにアームシリンダー５とバケットシリンダー４によってバケ
ット１の動きを操作することにより、即ち溝蓋移動用冶具１５を操作すること
により溝蓋２１の下方へ溝蓋移動用冶具１５を挿入して溝蓋２１を掬い上げる。
掬い上げた後は（ｂ）に示すように同様にアームシリンダー５とバケットシリン
ダー４の操作により溝蓋２１を移動する。
【００３０】
図７は溝を掃除する図である。
この時は矢印に示すように溝蓋移動用冶具１５をバケットから外す。そしてバケット１を操作することにより溝２４の汚泥２５を掃除する。
そして汚泥をそのままトラックへ積み込むことができるのでスコップを使って掃除するような場合と比較して重労働から解放される。
【００３１】
図８は溝を被覆する模式図である。
溝２４の掃除終了後溝蓋移動用冶具１５の操作により（ａ）に示すように溝蓋２
１を移動させて（ｂ）に示すように溝の溝蓋部６へ挿入し被覆していく。
【００３２】
図９は溝蓋２１を押し込んでいく図である。
溝蓋２１を一応並べた後、溝蓋移動用冶具１５の操作によりその根元に設けた
段差２６を利用して溝蓋２１を隙間がないように矢印の方向へ順次押し込んで
いく。従ってバール等を使って人力で押し込む必要はない。
【００３３】
図１０は溝蓋移動用冶具の側面を表す図である。
先端部２７は先細りにして溝２４に並んでいる溝蓋２１の下方へ挿入しやすくしてある。
溝蓋吊り上げ冶具１９のチェーン用フック１６を着脱自在に引っ掛ける棒２８
を設けている。また、根元部の下部に段差２６を設けている。
【００３４】
図１１は溝蓋移動用冶具の平面図である。
取り付け用穴２９によってねじでバケット１に取り付けられる。
先端部は板状体３０にして溝蓋２１を掬い上げやすくしている。
チェーン用フック１６を引っ掛ける棒２８を有する。
【００３５】
図１２はバケットの回動機構を表す図である。
接続金具２に回動アーム３８が取り付けられており、バケット側に固定されて
いるジョイント部３７へ挿入され、ピン３９が差し込まれナット４０で外れな
いようにされる。
それによりバケット１はピン３９を中心に回動できるようになっている。なお
回動をロックする場合にはロック装置の回動固定ピン４１で回動を止める。
接続金具２は接続穴３５を利用してバケットシリンダー４へ、接続穴３６を利
用してバケットアーム３へ取り付けられる。
【００３６】
図１３はバケットの回動機構を表す斜視図である。
接続金具２には回動アーム３８がありこれがバケットジョイント部３７へ挿入
されてピン３９を通してナット４０で外れないようにされる。
これによりバケット１はピン３９を中心にして回動可能になる。
接続金具２には回動固定片４７があり、ピン押し込み穴４６とバケット１の固
定穴４５に固定ピン４１を差し込むことにより回動を止めることができる。
なお、固定穴４５は複数個ありバケットをどの向きにするかの必要に応じて選
択することができる。
【産業上の利用可能性】
【００３７】
本発明は従来実施されているものと比べて道路脇等の溝の掃除の一連の作業
が重労働から解放されて、安全に、能率よく行うことができる。
即ち、溝蓋を外すこと、溝の掃除をすること、掃除終了後溝蓋を元の位置に戻し
て順次隙間なく並べることがショベルカーのアームシリンダーとバケットシリ
ンダーの操作で行うことができ、極めて実用的価値が高い。
【符号の説明】
【００３８】
１    バケット
２    接続金具
３    バケットアーム
４    バケットシリンダー
５    アームシリンダー
６    溝の溝蓋部分
７    バケットアーム基端部
１５  溝蓋移動用冶具
１６  チェーン用フック
１７  チェーン
１８  ベース部材
１９  溝蓋吊り上げ冶具
２０  溝蓋フック
２１  溝蓋
２２  切り欠き
２３  切り欠きの穴
２４  溝
２５  汚泥
２６  段差
２７  先端先細り部
２８  チェーン用フック引っ掛け棒
２９  バケットへの取り付け穴
３０  板状体
３５  バケットシリンダーへの取り付け穴
３６  バケットアームへの取り付け穴
３７  バケット側ジョイント部
３８  回動アーム
３９  ピン
４０  ナット
４１  回動固定ピン
４２  バケット開口部
４３  溝蓋移動用冶具取り付けねじ
４４  チェーン用フック引っ掛け棒固定ネジ
４５  固定穴
４６  ピン押し込み穴
４７  回動固定片
【図１】
2020172832.tif 000003
【図２】
2020172832.tif 000004
【図３】
2020172832.tif 000005
【図４】
2020172832.tif 000006
【図５】
2020172832.tif 000007
【図６】
2020172832.tif 000008
【図７】
2020172832.tif 000009
【図８】
2020172832.tif 000010
【図９】
2020172832.tif 000011
【図１０】
2020172832.tif 000012
【図１１】
2020172832.tif 000013
【図１２】
2020172832.tif 000014
【図１３】
2020172832.tif 000015
【手続補正書】
【提出日】平成31年4月14日(2019.4.14)
【手続補正１】
【補正対象書類名】図面
【補正対象項目名】全図
【補正方法】変更
【補正の内容】
【図１】
2020172832.tif 000016
【図２】
2020172832.tif 000017
【図３】
2020172832.tif 000018
【図４】
2020172832.tif 000019
【図５】
2020172832.tif 000020
【図６】
2020172832.tif 000021
【図７】
2020172832.tif 000022
【図８】
2020172832.tif 000023
【図９】
2020172832.tif 000024
【図１０】
2020172832.tif 000025
【図１１】
2020172832.tif 000026
【図１２】
2020172832.tif 000027
【図１３】
2020172832.tif 000028